(57)【特許請求の範囲】
【請求項１】
釣用仕掛けに使用する水中浮きであって、浮き本体が鉛よりも比重の小さい金属により構成されると共に、前記浮き本体の周縁部に沿って段部を形成し、この段部に適宜の色彩を施したことを特徴とする釣用金属水中浮き。
【請求項２】
前記浮き本体の中心部にセンターパイプが挿通し、このセンターパイプの上下端部がそれぞれ所定高さ突出していることを特徴とする請求項１に記載の釣用金属水中浮き。
【発明の詳細な説明】
【０００１】
【発明の属する技術分野】
本発明は、釣り用浮きに係り、特に金属製の水中浮きに関するものである。
【０００２】
【従来の技術】
磯釣り等で浮きを使用する釣りにおいて、浮きの浮力調整或いは仕掛けをタナ（狙う魚の遊泳層）まで沈めるために、一般にガン玉（鉛玉）が使用されている。このガン玉を使用することにより、釣針の付け餌を素早くタナまで沈めることができる。例えば釣スポットの上層に所謂エサ取り（釣針の付け餌を食べてしまう釣対象外の魚）が多い場合等、素早くタナまで沈めたいときに有効である。
【０００３】
ところで、海水の流れは、上層と中・下層とでは流れの向きが異なる場合が多く、このような状況で仕掛けを投入すると、先ず当たり浮きは上層の流れに乗って流れる。一方、付け餌が置かれる層（中・下層）では上層と流れの向きが異なるため、その付け餌は中・下層の流れの方向に流れようとする。ところが、当たり浮きの下側には該当たり浮きよりも大きな水流抵抗物がないため、仕掛け及び付け餌は当たり浮き（上層の流れ）に引っ張られる。このため付け餌は中・下層の流れに乗ることができず、不自然な動きとなってしまい、良好な釣り効果を得ることができない。
【０００４】
そこで従来、上述のような上層と中層及び下層との流れの相違に起因する問題を解決するために、ガン玉の代わりに水中浮きが使用されている。ここで、図３は、かかる水中浮きを使用する釣り用仕掛けの構成例を示している。この仕掛け１０は、道糸（釣糸）１１を順次、シモリ玉１２、当たり浮き１３、クッション（Ｏクッション）１４、水中浮き１５及びクッション（Ｔクッション）１６にそれぞれ挿通させるものである。
【０００５】
この例の仕掛け１０は所謂遊動仕掛けと称し、当たり浮き１３及び水中浮き１５が道糸１１に沿って所定範囲で移動可能になっている。また、道糸１１の先端には、所謂サルカン１７を介してハリス１８が結合すると共に、該ハリス１８の先端には釣針１９が設けられている。
【０００６】
この例のような水中浮き１５は、黒檀等の比重が１よりも大きい木材を用いて、水中での重量がガン玉と同一になるように製作したものである。ガン玉の素材である鉛に比較して比重がかなり小さいため、水中浮き１５の体積はガン玉のそれよりもかなり大きくなる。従ってガン玉の代わりに水中浮き１５を使用することで、上層と中・下層とで流れの向きが異なる場合でも、仕掛け１０における当たり浮き１３の下側に大きな抵抗物、即ち水中浮き１５が設定されるため、中・下層の流れに仕掛け１０を乗り易くすることができる。
【０００７】
【発明が解決しようとする課題】
しかしながら、仕掛け１０を素早く沈めたい場合、ガン玉よりも体積が大きい水中浮き１５にあっては、大きな水流抵抗を受けるためこれを早く沈めることができない。また、水中浮き１５は、黒檀等の木材により製作されることから耐衝撃性がなく、岩等に衝突して破損する危険がある。
【０００８】
本発明はかかる実情に鑑み、本来の水中浮きの機能とガン玉の機能を兼備し、高い耐衝撃性を備えた釣用金属水中浮きを提供することを目的とする。
【０００９】
【課題を解決するための手段】
本発明の釣用金属水中浮きは、釣用仕掛けに使用する水中浮きであって、浮き本体が鉛よりも比重の小さい金属により構成されると共に、前記浮き本体の周縁部に沿って段部を形成し、この段部に適宜の色彩を施したことを特徴とする。
【００１０】
本発明の釣用金属水中浮きにおいて、前記浮き本体の中心部にセンターパイプが挿通し、このセンターパイプの上下端部がそれぞれ所定高さ突出していることを特徴とする。
【００１２】
【作用】
本発明によれば、水中浮きを鉛よりも比重の小さい金属により構成することで、その体積をガン玉よりも大きくことができ、また通常の木製水中浮きよりも小さくことができる。従って適度な体積と重量を確保することで、海水の流れに乗り易くすると共に、タナに素早く沈むことができる。
【００１３】
【発明の実施の形態】
以下、図１及び図２に基づき、従来例と同一部材には同一符号を用いて、本発明による釣用金属水中浮きの好適な実施の形態を説明する。
【００１４】
図１は、この実施形態における釣用金属水中浮きの外観を示している。水中浮きの浮き本体１は、鉛よりも比重の小さい金属により構成されている。浮き本体１の形成材料としては、好適には真鍮をはじめとして、その他例えばステンレス鋼、銅、ニッケル及びコバルト、又はこれらとチタン、クロム、亜鉛もしくは錫等との合金を用いることができる。いずれの材料を選択した場合でも浮き本体１の比重は、上述のように鉛よりも小さく設定される。
【００１５】
また、浮き本体１の中心部には、図２にも示したようにセンターパイプ２が挿通している。このセンターパイプ２は好適には樹脂製とし、釣糸を通すための糸通し孔２ａが貫通して形成されている。センターパイプ２は浮き本体１に強固に固着している。特にセンターパイプ２の上下端部は、浮き本体１からそれぞれ所定高さ突出している。このセンターパイプ２の上下端部の突出量としては、例えば０．３ｍｍ程度が適当である。
【００１６】
更に、浮き本体１の周縁部に沿って段部１ａが形成されている。この段部１ａを境にして、例えば図示例のように浮き本体１の上部が概略円錐状に、また下部が概略球形状に形成される。段部１ａには適宜の彩色（例えば紫色等）が施されるようになっており、このように着色することで優れた水中視認性を得ることができる。
【００１７】
本発明の釣用金属水中浮きの実使用において、例えば図３に示した釣り用仕掛け１０における水中浮き１５の代わりにセットされる。この場合、後述するように、セットされた釣用金属水中浮きの上下においてクッション１４及びクッション１６は不要である。従って、この種の釣り用仕掛けの構成を簡素することができるので有利である。
【００１８】
このように仕掛け１０に適用した本発明の釣用金属水中浮きによれば、浮き本体１を鉛よりも比重の小さい金属により構成することで、その体積をガン玉よりも大きくすると共に、通常の木製水中浮きよりも小さくなっている。
【００１９】
従って適度な体積を確保することで、海水の流れに乗り易くし、つまり海水の上層と中・下層とで流れの向きが異なる場合でも、仕掛け１０における当たり浮き１３（図３参照）によって引っ張られることなく、中・下層の流れに仕掛け１０を乗せることができる。また、黒檀等の木材の場合よりも重量が重いため、狙ったタナまで素早く沈ませることができる。そして、金属製であるから岩等に衝突して破損する危険がなく、即ち優れた耐衝撃性を実現する。
【００２０】
ところで、上述したようにセンターパイプ２の上下端部は、浮き本体１から僅かに突出している。しかもこのセンターパイプ２を樹脂製とすることにより、図３の仕掛け１０に適用した場合、浮き本体１の上側にセットされる当たり浮き１３や下側に配置されるサルカン１７と衝突した際に優れた緩衝作用を発揮する。これにより浮き本体１自体のみならず、上下に配置される仕掛け構成部材を有効に保護することができる。また、浮き本体１の周縁部に沿って形成した段部１ａに着色することにより、視認性を高めて水中に入ってからの潮の動きを知ることができる結果、いち早く当たりを知ることができる。
【００２１】
更に、本発明の釣用金属水中浮きによれば、所謂シーアンカーとして、タナを確実にキープすることができる。また、本発明の釣用金属水中浮きは向い風や逆風時でも飛距離を伸ばして、狙ったポイントを確実に攻めることができる。更に、前述のように仕掛け１０において当たり浮き１３によって引っ張られなくするばかりか、その当たり浮き１３を引いて抑え、安定させる等の作用を発揮する。
【００２２】
なお、上記実施形態において本発明の釣用金属水中浮きを仕掛け１０に適用した場合の例を説明したが、本発明の釣用金属水中浮きは、その他の態様の仕掛けや、浮きを使用する釣りにおいて効果的に適用することができる。
【００２３】
【発明の効果】
以上説明したように本発明によれば、水中浮きを鉛よりも比重の小さい金属により構成することで、単一の浮きでありながら、適度な体積と重量を確保することによりガン玉の機能と水中浮きの機能の双方を実現することができる。また、優れた耐衝撃性を実現することに加えて、鉛を使用していないため環境に悪影響を与える心配がない等の利点を有している。
【図面の簡単な説明】
【図１】本発明の釣用金属水中浮きの実施形態における外観図である。
【図２】本発明の釣用金属水中浮きの実施形態における断面図である。
【図３】従来の水中浮きに係る仕掛けの構成例を示す図である。
【符号の説明】
１    浮き本体
１ａ  段部
２    センターパイプ
２ａ  糸通し孔
１０    仕掛け
１１    道糸（釣糸）
１２    シモリ玉
１３    当たり浮き
１７    サルカン
１８    ハリス
【図１】
0003581205.tif 000002
【図２】
0003581205.tif 000003
【図３】
0003581205.tif 000004